【手続補正書】
【提出日】平成23年10月7日(2011.10.7)
【手続補正１】
【補正対象書類名】特許請求の範囲
【補正対象項目名】全文
【補正方法】変更
【補正の内容】
【特許請求の範囲】
【請求項１】
地盤上に施工された床の沈下範囲における中央部と該中央部の周囲とに膨張性樹脂の注入孔を穿孔する工程と、
前記中央部に穿孔した注入孔から床下に膨張性樹脂を注入し、該膨張性樹脂を膨張させて前記中央部の床を押上げる第１の押上げ工程と、
前記中央部の周囲に穿孔した注入孔から、順次床下に膨張性樹脂を注入し、該膨張性樹脂を膨張させて前記中央部周囲の床を押上げる第２の押上げ工程と、
複数の注入孔から床下に膨張性樹脂を注入し、該膨張性樹脂を膨張させて、表面の高さが最終の目標レベルとなるように前記沈下範囲の床を押上げる第３の押上げ工程と、を備えることを特徴とする沈下床の修正工法。
【請求項２】
前記第１の押上げ工程で押上げられる前記中央部の床の押上げ後の表面高さは、前記最終の目標レベルよりも低い高さである第１のレベルであり、
前記第２の押上げ工程で押上げられる前記中央部周囲の床の押上げ後の表面高さは、前記最終の目標レベルよりも低い高さである第２のレベルであることを特徴とする請求項１に記載の沈下床の修正工法。
【請求項３】
前記第１のレベルは、前記最終の目標レベルよりも２０ｍｍ程度低く、
前記第２のレベルは、前記最終の目標レベルよりも１０ｍｍ程度低いことを特徴とする請求項２に記載の沈下床の修正工法。
【請求項４】
地盤上に施工された床の沈下範囲に略マトリクス状に膨張性樹脂の注入孔を穿孔する工程と、
前記略マトリクス状に配した注入孔のうち、角部に配した注入孔から外側列に穿孔した注入孔に順次膨張性樹脂を注入し、該膨張性樹脂を膨張させて前記外側列の注入孔周辺の床を押上げ、続いて隣接する注入孔の列毎に順次膨張性樹脂を注入し、該膨張性樹脂を膨張させて前記隣接する注入孔周辺の床を押上げる第１の押上げ工程と、
複数の前記注入孔から床下に膨張性樹脂を注入し、該膨張性樹脂を膨張させて、表面の高さが最終の目標レベルとなるように前記沈下範囲の床を押上げる第２の押上げ工程と、を備えることを特徴とする沈下床の修正工法。
【請求項５】
地盤上に施工された床の沈下範囲に略マトリクス状に膨張性樹脂の注入孔を穿孔する工程と、
前記略マトリクス状に配した注入孔のうち、角部に配した注入孔から外側に穿孔した注入孔に順次膨張性樹脂を注入し、該膨張性樹脂を膨張させて前記外側に穿孔した注入孔周辺の床を押上げ、続いて前記外側に穿孔した注入孔の内側に隣接する注入孔に順次膨張性樹脂を注入し、該膨張性樹脂を膨張させて前記内側に隣接する注入孔周辺の床を押上げる第１の押上げ工程と、
複数の前記注入孔から床下に膨張性樹脂を注入し、該膨張性樹脂を膨張させて、表面の高さが最終の目標レベルとなるように前記沈下範囲の床を押上げる第２の押上げ工程と、を備えることを特徴とする沈下床の修正工法。
【請求項６】
床に重量物が載置されて、該重量物の載置位置を中心にして沈下した前記床の修正工法において、
前記床の前記重量物の載置位置近傍とその周囲とに膨張性樹脂の注入孔を穿孔する工程と、
前記載置位置近傍に穿孔した前記注入孔から前記重量物の下方に膨張性樹脂を注入し、該膨張性樹脂を膨張させて前記重量物下方の床を押上げ、続いて前記重量物の載置位置近傍の周囲に穿孔した前記注入孔から膨張性樹脂を注入し、該膨張性樹脂を膨張させて前記重量物の載置位置周辺の床を押上げる第１の押上げ工程と、
複数の前記注入孔から床下に膨張性樹脂を注入し、該膨張性樹脂を膨張させて、表面の高さが最終の目標レベルとなるように前記床を押上げる第２の押上げ工程と、を備えることを特徴とする沈下床の修正工法。
【請求項７】
前記第１の押上げ工程で押上げられる前記床の高さは、前記最終の目標レベルよりも１０ｍｍ程度低いレベルであることを特徴とする請求項４乃至６のいずれか１項に記載の沈下床の修正工法。
【請求項８】
前記膨張性樹脂は、発泡性のウレタン樹脂であることを特徴とする請求項１乃至７のいずれか１項に記載の沈下床の修正工法。
【請求項９】
前記床を床下に配された地中梁又は地中に固定された連結装置と接続する工程を更に備え、
前記地中梁又は前記連結装置との接続により、前記膨張性樹脂の膨張時に、前記床が全体に押上げられることを抑制することを特徴とする請求項１乃至８のいずれか１項に記載の沈下床の修正工法。
【手続補正２】
【補正対象書類名】明細書
【補正対象項目名】０００７
【補正方法】変更
【補正の内容】
【０００７】
上記目的を達成するため、本発明の第１の観点に係る沈下床の修正工法は、地盤上に施工された床の沈下範囲における中央部と該中央部の周囲とに膨張性樹脂の注入孔を穿孔する工程と、前記中央部に穿孔した注入孔から床下に膨張性樹脂を注入し、該膨張性樹脂を膨張させて前記中央部の床を押上げる第１の押上げ工程と、前記中央部の周囲に穿孔した注入孔から、順次床下に膨張性樹脂を注入し、該膨張性樹脂を膨張させて前記中央部周囲の床を押上げる第２の押上げ工程と、複数の注入孔から床下に膨張性樹脂を注入し、該膨張性樹脂を膨張させて、表面の高さが最終の目標レベルとなるように前記沈下範囲の床を押上げる第３の押上げ工程と、を備えることを特徴とする。
前記第１の押上げ工程で押上げられる前記中央部の床の押上げ後の表面高さは、前記最終の目標レベルよりも低い高さである第１のレベルであり、前記第２の押上げ工程で押上げられる前記中央部周囲の床の押上げ後の表面高さは、前記最終の目標レベルよりも低い高さである第２のレベルとしてもよい。
また、前記第１のレベルを、前記最終の目標レベルよりも２０ｍｍ程度低く、前記第２のレベルを、前記最終の目標レベルよりも１０ｍｍ程度低くしてもよい。
【手続補正３】
【補正対象書類名】明細書
【補正対象項目名】０００８
【補正方法】変更
【補正の内容】
【０００８】
また、上記目的を達成するため、本発明の第２の観点に係る沈下床の修正工法は、地盤上に施工された床の沈下範囲に略マトリクス状に膨張性樹脂の注入孔を穿孔する工程と、前記略マトリクス状に配した注入孔のうち、角部に配した注入孔から外側列に穿孔した注入孔に順次膨張性樹脂を注入し、該膨張性樹脂を膨張させて前記外側列の注入孔周辺の床を押上げ、続いて隣接する注入孔の列毎に順次膨張性樹脂を注入し、該膨張性樹脂を膨張させて前記隣接する注入孔周辺の床を押上げる第１の押上げ工程と、複数の前記注入孔から床下に膨張性樹脂を注入し、該膨張性樹脂を膨張させて、表面の高さが最終の目標レベルとなるように前記沈下範囲の床を押上げる第２の押上げ工程と、を備えることを特徴とする。
【手続補正４】
【補正対象書類名】明細書
【補正対象項目名】０００９
【補正方法】変更
【補正の内容】
【０００９】
また、上記目的を達成するため、本発明の第３の観点に係る沈下床の修正工法は、地盤上に施工された床の沈下範囲に略マトリクス状に膨張性樹脂の注入孔を穿孔する工程と、前記略マトリクス状に配した注入孔のうち、角部に配した注入孔から外側に穿孔した注入孔に順次膨張性樹脂を注入し、該膨張性樹脂を膨張させて前記外側に穿孔した注入孔周辺の床を押上げ、続いて前記外側に穿孔した注入孔の内側に隣接する注入孔に順次膨張性樹脂を注入し、該膨張性樹脂を膨張させて前記内側に隣接する注入孔周辺の床を押上げる第１の押上げ工程と、複数の前記注入孔から床下に膨張性樹脂を注入し、該膨張性樹脂を膨張させて、表面の高さが最終の目標レベルとなるように前記沈下範囲の床を押上げる第２の押上げ工程と、を備えることを特徴とする。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】変更
【補正の内容】
【００１２】
また、上記目的を達成するため、本発明の第４の観点に係る沈下床の修正工法は、床に重量物が載置されて、該重量物の載置位置を中心にして沈下した前記床の修正工法において、前記床の前記重量物の載置位置近傍とその周囲とに膨張性樹脂の注入孔を穿孔する工程と、前記載置位置近傍に穿孔した前記注入孔から前記重量物の下方に膨張性樹脂を注入し、該膨張性樹脂を膨張させて前記重量物下方の床を押上げ、続いて前記重量物の載置位置近傍の周囲に穿孔した前記注入孔から膨張性樹脂を注入し、該膨張性樹脂を膨張させて前記重量物の載置位置周辺の床を押上げる第１の押上げ工程と、複数の前記注入孔から床下に膨張性樹脂を注入し、該膨張性樹脂を膨張させて、表面の高さが最終の目標レベルとなるように前記床を押上げる第２の押上げ工程と、を備えることを特徴とする。
前記第１の押上げ工程で押上げられる前記床の高さは、前記最終の目標レベルよりも１０ｍｍ程度低いレベルであってもよい。
【手続補正８】
【補正対象書類名】明細書
【補正対象項目名】００１４
【補正方法】変更
【補正の内容】
【００１４】
また、前記床を床下に配された地中梁又は地中に固定された連結装置と接続する工程を更に備え、前記地中梁又は前記連結装置との接続により、前記膨張性樹脂の膨張時に、前記床が全体に押上げられることを抑制するようにしてもよい。
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】